(57)【要約】【課題】看板等に用いる光源ユニットの照度を向上させたい。【解決手段】光を反射する底面部５１と光を反射する側面部と光を出射する出射面部５６とを有し、底面部５１と出射面部５６とが平行な箱状の筺体６０と、側面部５２に対して取り付けられ所定の発光方向で底面部５１と出射面部５６との間に光を照射するＬＥＤモジュール７０と、ＬＥＤモジュール７０の所定の発光方向にある側面部５２から底面部５１にかけて傾斜して設けられ、ＬＥＤモジュール７０の光を出射面部５６に反射するスロープ反射板８３とを備え、スロープ反射板８３と底面部５１とのなす角度が、３度以上３０度以下である。前記所定の発光方向の底面部５１の長さを全長Ｘとし、スロープ反射板８３と底面部５１の交差位置から側面部５４までの前記所定の発光方向の長さをスロープ長Ｓとすると、１／２１≦Ｓ／Ｘ＜１／３である。【選択図】図１
2014007000.tif 000002
【特許請求の範囲】
【請求項１】
光を反射する底面部と光を反射する側面部と光を出射する出射面部とを有し、底面部と出射面部とが平行な箱状の筺体と、
側面部に対して取り付けられ、所定の発光方向で底面部と出射面部との間に光を照射する発光ダイオード（ＬＥＤ）モジュールと、
ＬＥＤモジュールの所定の発光方向にある側面部から底面部にかけて傾斜して設けられ、ＬＥＤモジュールの光を出射面部に反射するスロープ反射板と
を備え、
スロープ反射板と底面部とのなす角度が、３度以上３０度以下であることを特徴とする光源ユニット。
【請求項２】
前記所定の発光方向の底面部の長さを全長Ｘとし、スロープ反射板と底面部の交差位置から側面部までの前記所定の発光方向の長さをスロープ長Ｓとすると、１／２１≦Ｓ／Ｘ≦１／３であることを特徴とする請求項１記載の光源ユニット。
【請求項３】
スロープ反射板と底面部とのなす角度が、７度以上１４度以下であることを特徴とする請求項１又は２記載の光源ユニット。
【請求項４】
前記所定の発光方向の底面部の長さを全長Ｘとし、スロープ反射板と底面部の交差位置から側面部までの前記所定の発光方向の長さをスロープ長Ｓとすると、１／９≦Ｓ／Ｘ≦１／７．５であることを特徴とする請求項１〜３いずれかに記載の光源ユニット。
【請求項５】
スロープ反射板と底面部とのなす角度が、１０度以上１１度以下であることを特徴とする請求項１〜４いずれかに記載の光源ユニット。
【請求項６】
前記所定の発光方向の底面部の長さを全長Ｘとし、スロープ反射板と底面部の交差位置から側面部までの前記所定の発光方向の長さをスロープ長Ｓとすると、１／７≦Ｓ／Ｘ≦１／６であることを特徴とする請求項１〜５いずれかに記載の光源ユニット。
【請求項７】
前記所定の発光方向の底面部の長さを全長Ｘとし、スロープ反射板と底面部の交差位置から側面部までの前記所定の発光方向の長さをスロープ長Ｓとすると、１／１２≦Ｓ／Ｘ≦１／１１であることを特徴とする請求項１〜５いずれかに記載の光源ユニット。
【請求項８】
ＬＥＤモジュールは、対向する側面部に対して１対設けられ、
スロープ反射板は、１対のＬＥＤモジュールの所定の発光方向にある側面部から底面部にかけて１対設けられ、
各ＬＥＤモジュールは、側面部の上下中央に取り付けられ、
各スロープ反射板は、側面部の上下中央の下部から底面部にかけて傾斜して設けられたことを特徴とする請求項１〜７いずれかに記載の光源ユニット。
【発明の詳細な説明】
【技術分野】
【０００１】
この発明は、ＬＥＤ（発光ダイオード）を用いた光源ユニットに関する。
【背景技術】
【０００２】
従来からＬＥＤ（発光ダイオード）を用いた光源ユニットが、看板等のディスプレイ装置に用いられている。
【先行技術文献】
【特許文献】
【０００３】
【特許文献１】特開２００９−１８７９０４号公報
【発明の概要】
【発明が解決しようとする課題】
【０００４】
ＬＥＤ（発光ダイオード）を用いた光源ユニットは、照度が低いという課題がある。
本発明の実施の形態では、光源ユニットの照度を向上させることを目的とする。
【課題を解決するための手段】
【０００５】
この発明に係る光源ユニットは、
光を反射する底面部と光を反射する側面部と光を出射する出射面部とを有し、底面部と出射面部とが平行な箱状の筺体と、
側面部に対して取り付けられ、所定の発光方向で底面部と出射面部との間に光を照射する発光ダイオード（ＬＥＤ）モジュールと、
ＬＥＤモジュールの所定の発光方向にある側面部から底面部にかけて傾斜して設けられ、ＬＥＤモジュールの光を出射面部に反射するスロープ反射板と
を備えることを特徴とする。
【０００６】
前記所定の発光方向の底面部の長さを全長Ｘとし、スロープ反射板と底面部の交差位置から側面部までの前記所定の発光方向の長さをスロープ長Ｓとすると、１／２１≦Ｓ／Ｘ≦１／３であることを特徴とする。
【０００７】
スロープ反射板と底面部とのなす角度が、７度以上１４度以下であることを特徴とする。
【０００８】
前記所定の発光方向の底面部の長さを全長Ｘとし、スロープ反射板と底面部の交差位置から側面部までの前記所定の発光方向の長さをスロープ長Ｓとすると、１／９≦Ｓ／Ｘ≦１／７．５であることを特徴とする。
【０００９】
スロープ反射板と底面部とのなす角度が、１０度以上１１度以下であることを特徴とする。
【００１０】
前記所定の発光方向の底面部の長さを全長Ｘとし、スロープ反射板と底面部の交差位置から側面部までの前記所定の発光方向の長さをスロープ長Ｓとすると、１／７≦Ｓ／Ｘ≦１／６であることを特徴とする。
【００１１】
前記所定の発光方向の底面部の長さを全長Ｘとし、スロープ反射板と底面部の交差位置から側面部までの前記所定の発光方向の長さをスロープ長Ｓとすると、１／１２≦Ｓ／Ｘ≦１／１１であることを特徴とする。
【００１２】
ＬＥＤモジュールは、対向する側面部に対して１対設けられ、
スロープ反射板は、１対のＬＥＤモジュールの所定の発光方向にある側面部から底面部にかけて１対設けられ、
各ＬＥＤモジュールは、側面部の上下中央に取り付けられ、
各スロープ反射板は、側面部の上下中央の下部から底面部にかけて傾斜して設けられたことを特徴とする。
【発明の効果】
【００１３】
この発明に係る光源ユニットは、スロープ反射板を有しているので、光源ユニットの照度が向上する。
【図面の簡単な説明】
【００１４】
【図１】実施の形態１の光源ユニット５０を示す図。
【図２】実施の形態１のＬＥＤモジュール７０の説明図。
【図３】実施の形態１の構成１を示す図。
【図４】実施の形態１の構成１１、構成１２を示す図。
【図５】実施の形態１の各構成を示す図。
【図６】実施の形態１の各構成を示す図。
【図７】実施の形態１の光源ユニット５０の測定結果を示す図。
【図８】実施の形態１の光源ユニット５０の測定結果を示す図。
【図９】実施の形態１の光源ユニット５０の測定結果を示す図。
【図１０】実施の形態１の原理を示す図。
【図１１】実施の形態１の光源ユニット５０の構成１〜３の出射面部の照度の等高線図。
【図１２】実施の形態１の光源ユニット５０の構成４〜６の出射面部の照度の等高線図。
【図１３】実施の形態１の光源ユニット５０の構成７〜９の出射面部の照度の等高線図。
【図１４】実施の形態１の光源ユニット５０の構成１０〜１２の出射面部の照度の等高線図。
【図１５】実施の形態１の光源ユニット５０の構成１３の出射面部の照度の等高線図。
【図１６】実施の形態１の光源ユニット５０の構成１４〜１７の出射面部の照度の等高線図。
【図１７】実施の形態１の光源ユニット５０の構成１８〜２１の出射面部の照度の等高線図。
【図１８】実施の形態１の光源ユニット５０の構成２２〜２３の出射面部の照度の等高線図。
【図１９】実施の形態１の光源ユニット５０の構成２４〜２６の出射面部の照度の等高線図。
【図２０】実施の形態１の光源ユニット５０の構成６〜１３の測定結果を示す図。
【図２１】実施の形態１の光源ユニット５０の構成６〜１３の測定結果を示す図。
【図２２】実施の形態１の光源ユニット５０の構成１５〜２２の測定結果を示す図。
【図２３】実施の形態１の光源ユニット５０の構成１５〜２２の測定結果を示す図。
【図２４】実施の形態１の光源ユニット５０の好適仕様を示す図。
【図２５】その他の実施の形態を示す図。
【発明を実施するための形態】
【００１５】
実施の形態１．
【００１６】
図１は、実施の形態１の光源ユニット５０を示す図である。
光源ユニット５０は、例えば、１面（図１では上面）が発光する看板である。
図１では、上面の中央に星型の模様があり、夜間に星型の模様が光る看板を示している。
【００１７】
＜＜＜図１の記号の説明＞＞＞
筺体６０の横方向の長さ（所定の発光方向（細矢印で示されるＬＥＤモジュール７０の発光方向）の底面部５１の長さ）を全長Ｘとする。
筺体６０の奥行き（底面部５１の奥行き）をＹとする。
筺体６０の高さ（側面部の高さ）をＺとする。
筺体６０の横方向をＸ方向という。
筺体６０の奥行き方向をＹ方向という。
筺体６０の高さ方向をＺ方向という。
【００１８】
スロープ反射板８３と底面部５１の交差位置から側面部５４までの前記所定の発光方向の長さをスロープ長Ｓとする。同様に、スロープ反射板８４と底面部５１の交差位置から側面部５２までの前記所定の発光方向の長さをスロープ長Ｓとする。
スロープ反射板８３と底面部５１とのなす角度を角度Ａとする。
【００１９】
＜＜＜光源ユニット５０の構造＞＞＞
底面部５１は、箱状の筺体６０を有している。
筺体６０は、底面部５１と、４つの側面部と、出射面部５６とを有する。
出射面部５６は、光を透過する材質でできているので、図１では、出射面部５６の輪郭と星型の模様とを二点鎖線で描いている。
筺体６０は、底面部５１と出射面部５６とが平行な六面体（立方体）をしている。
底面部５１と、４つの側面部は、光を透過しない。
４つの側面部とは、側面部５２、側面部５３、側面部５４、及び、側面部５５である。
側面部５２と側面部５４とは対向している側面であり、それぞれ、２個のＬＥＤモジュール７０が直列に固定されている。
側面部５３と側面部５５とには、ＬＥＤモジュール７０がない。
光源ユニット５０は、中央Ｃを中心として横方向において左右対称構造をしている。
【００２０】
底面部５１の表面には、光を反射する底反射板８１が有る。
４つの側面部にも、光を反射する底反射板８１がある。４つの側面部には反射板はなくてもよい。
出射面部５６は、光を透過して、図１の太矢印の方向（上方向）に光を出射する。
【００２１】
ＬＥＤモジュール７０は、側面部５２と側面部５４とに対して取り付けられ、細矢印で示す水平方向（所定の発光方向）に向かって光を照射する。ＬＥＤモジュール７０の光軸（光束の中心）は横方向と平行であり、ＬＥＤモジュール７０は底面部５１と出射面部５６との間で、対向する側面部に向かって光を照射する。
【００２２】
スロープ反射板８３は、側面部５４から底面部５１にかけて傾斜して設けられている。スロープ反射板８３は、側面部５２にあるＬＥＤモジュール７０の発光方向（右側方向）にある。
スロープ反射板８４は、側面部５２から底面部５１にかけて傾斜して設けられている。スロープ反射板８４は、側面部５４にあるＬＥＤモジュール７０の発光方向（左側方向）にある。
スロープ反射板８３とスロープ反射板８４は、ＬＥＤモジュール７０の光を出射面部５６の方向に反射する。
【００２３】
ＬＥＤモジュールは、対向する側面部５２と側面部５４とに対して、図１では２対設けられているが、最低１対あればよい。
スロープ反射板は、ＬＥＤモジュール７０の発光方向にある側面部５２と側面部５４とから底面部５１にかけて１対設けられている。
各ＬＥＤモジュール７０は、側面部の上下中央（Ｚの半分の高さ）に取り付けられている。
各スロープ反射板は、側面部の上下中央の下部から底面部５１にかけて傾斜して設けられている。
【００２４】
＜＜＜ＬＥＤモジュール７０の構造＞＞＞
図２の（ａ）は、ＬＥＤモジュール７０として、三菱電機オスラム株式会社製のＬＥＤモジュールＢＸ０３ＳＡ−Ｗ４Ｆ−７６５の配光特性を示している。
ＢＸ０３ＳＡ−Ｗ４Ｆ−７６５は、ＤＣ１２Ｖ定電圧電源をもちい、白色光（６５００Ｋ）を出し、箱形看板内照用、間接照明用ＬＥＤモジュールとして用いられる。
図２の（ｂ）は、ＢＸ０３ＳＡ−Ｗ４Ｆ−７６５の構成図である。
ＢＸ０３ＳＡ−Ｗ４Ｆ−７６５には３個のＬＥＤ７１がライン上に均等に並んでいる。
【００２５】
ＢＸ０３ＳＡ−Ｗ４Ｆ−７６５の仕様は以下のとおりである。
定格入力電圧：ＤＣ１２Ｖ
定格消費電力：７．５Ｗ
全光束：３８１［ｌｍ］
寸法（Ｌ×Ｗ×Ｈ）：３００×３５×１７ｍｍ
使用温度条件：摂氏−２５度〜摂氏５０度
ＬＥＤ間隔：１１０ｍｍ
【００２６】
図２の（ａ）の破線は、Ｚ方向（Ａ軸）における配光曲線を示している。
図２の（ｂ）の実線は、Ｙ方向（Ｂ軸）における配光曲線を示している。
配光曲線は、光がどの方向にどれだけの強さ（光度）で出ているかを表している。
また、光軸（中心）の明るさに比べて明るさが半分になる角度をビーム角という。
ＢＸ０３ＳＡ−Ｗ４Ｆ−７６５は、Ｚ方向（Ａ軸）に約１２度のビーム角を有し、Ｙ方向（Ｂ軸）に約５６度のビーム角を有する楕円配光タイプのＬＥＤモジュールである。
【００２７】
＜＜＜光源ユニット５０の構成の説明＞＞＞
図３は、比較例として、底面部５１が底反射板８１により覆われており、スロープ反射板８３とスロープ反射板８４とがない場合を示している。
図４は、好適例として、底反射板８１と、スロープ反射板８３と、スロープ反射板８４とが有る場合を示している。
スロープ反射板８３あるいはスロープ反射板８４が底面部５１となす角度をＡ度とする。例えば、図４において角度Ａは、約７〜１４度である。
【００２８】
以下、全長Ｘが異なる光源ユニット５０を使用した看板１と看板２とを用いて、反射板の構成を変えた２６通りの構成について、照度を測定した結果について説明する。
【００２９】
看板１のサイズは以下のとおりである。
Ｘ＝１．８ｍ
Ｙ＝０．８４ｍ
Ｚ＝０．２ｍ
【００３０】
看板２のサイズは以下のとおりである。
Ｘ＝３．０ｍ
Ｙ＝０．８４ｍ
Ｚ＝０．２ｍ
【００３１】
各部の反射率は、以下のとおりである。反射板の例として古河電工のＭＣＰＥＴ（登録商標）がある。
底反射板８１の反射率：９０％
縦反射板８２の反射率：９０％
スロープ反射板８３の反射率：９０％
スロープ反射板８４の反射率：９０％
側面部５２の反射率：５０％
側面部５３の反射率：５０％
側面部５４の反射率：５０％
側面部５５の反射率：５０％
出射面部５６の反射率：７０％
【００３２】
図５は、構成１〜構成２３までの構成図である。
「構成１，１４」は、底反射板８１のみ設置した場合である。
「構成２，３，４，２３」は、それぞれ、中心から高さ０．０６５ｍ、０．０５ｍ、０．０５ｍ、０．０５ｍ、のスロープ反射板８３を端まで設置した場合である。
「構成５」は、高さ０．０５ｍの縦反射板８２を中心に設置した場合である。
「構成６，１５」は、それぞれ、高さ０．０５ｍ、０．０５ｍの縦反射板８２を端に設置した場合である。
「構成７，８，９，１０，１１，１２，１３，１６，１７，１８，１９，２０，２１，２２」は、それぞれ、端から高さ０．０５ｍのスロープ反射板８３とスロープ反射板８４とをＳ［ｍ］設置した場合である。
【００３３】
図６は、構成２４〜構成２６までの構成図である。
「構成２４」は、ＬＥＤモジュール７０を片側のみに配置し、スロープ反射板８３とスロープ反射板８４とを設置した場合である。
「構成２５」は、ＬＥＤモジュール７０を片側のみに配置し、スロープ反射板８３のみを設置した場合である。
「構成２６」は、ＬＥＤモジュール７０を片側のみに配置し、スロープ反射板８４のみを設置した場合である。
【００３４】
＜＜＜光源ユニット５０の各構成における照度の測定結果＞＞＞
図７、図８、図９は、看板１と看板２の各構成（構成１〜構成２６）における照度を測定した結果を示す図である。
図１１〜図１９は、構成１〜構成２６までの、出射面部の照度の等高線図を示す図である。
【００３５】
図２０は、構成６〜構成１３における角度Ａと平均照度との関係を示すグラフであり、図２１は、構成６〜構成１３におけるスロープ長／全長［Ｓ／Ｘ］と平均照度との関係を示すグラフである。また、図２２は、構成１５〜構成２２における角度Ａと照度との関係を示すグラフであり、図２３は、構成１５〜構成２２におけるスロープ長／全長［Ｓ／Ｘ］と平均照度との関係を示すグラフである。
【００３６】
例えば、図２０において構成６の平均照度は、平均照度のプロット（実線）上に「（６）」で示された点である。また、標準偏差のプロット（点線）には、「（６）」の図示は省略しているが、構成６の平均照度と同じ横軸における標準偏差のプロット上の点が、構成６の標準偏差である（他も同様）。
（図２０〜２１は、構成１〜５のプロットを省略している。）
【００３７】
ここで、照度とは、出射面部５６の反射率は全面均一であり、その反射率が７０％とした場合、出射面部５６の通過する光（３０％の光）の明るさをいい、出射面部５６の上側面（外側面）の単位面積あたりの光束と等しい。
【００３８】
平均照度とは、出射面部５６の照度の平均値である。
最大照度とは、出射面部５６の照度の最大値である。
最小照度とは、出射面部５６の照度の最小値である。
標準偏差とは、出射面部５６の照度の光の均一性を示す値である。
【００３９】
図７は、看板１の構成１〜構成１３における照度の測定結果である。
図７の看板１では、底面のみ反射板設置（底反射板８１のみ設置）の構成１を基準にして、構成２〜１３の判定を行っている。
構成２〜構成５は、基準の構成１より標準偏差が大きいので不可（×）。
構成６〜構成１３は、基準の構成１より平均照度が明るく、標準偏差が小さく良好（○）である。
図２０及び図２１に示される通り、構成６〜構成１３は、平均照度が基準の構成１の「９４８ルックス」を上回り、標準偏差が基準の構成１の「１３７ルックス」以下である。
そして、特に構成１１と構成１２は優良（◎）である。
【００４０】
構成１１は、端から高さ０．０５ｍのスロープ反射板を０．２ｍ設置した場合であり、水平方向となす角度Ａが１４度、スロープ長／全長［Ｓ／Ｘ］が１／９となる。そして、構成１１は、平均照度も１０１０ルックスと高く、標準偏差（光の均一性）が最低の１１０で、構成１〜構成１３の中で最も均一になる。
【００４１】
構成１２は、端から高さ０．０５ｍのスロープ反射板を０．４ｍ設置した場合であり、水平方向となす角度Ａが７度、スロープ長／全長［Ｓ／Ｘ］が１／４．５となり、平均照度も１０１５ルックスと高く、構成１〜構成１３の中で標準偏差（光の均一性）が１１８ルックスと２番目に均一になる。
【００４２】
図８は、看板２の構成１４〜構成２３における照度の測定結果である。
図８の看板２では、底面のみ反射板設置（底反射板８１のみ設置）の構成１４を基準にして、構成１５〜２３の判定を行っている。
構成１５〜構成１９は、平均照度と標準偏差とは基準の構成１４と殆ど変わらないので可（△）。
構成２０〜構成２１は、基準の構成１４より平均照度が明るく、標準偏差は基準の構成１４の１０８ルックスと同程度なので良好（○）。
構成２２〜構成２３は、基準の構成１４より標準偏差が上がっているので不可（×）。
【００４３】
構成２０は、端から高さ０．０５ｍのスロープ反射板を０．２ｍ設置した場合であり、水平方向となす角度Ａが７度、スロープ長／全長［Ｓ／Ｘ］が１／１５となり、平均照度も６３４ルックスと基準の構成１４より高く、標準偏差（光の均一性）が１１２ルックスで、基準の構成１４と同程度になる。
【００４４】
構成２１は、端から高さ０．０５ｍのスロープ反射板を０．４ｍ設置した場合であり、水平方向となす角度Ａが７度、スロープ長／全長［Ｓ／Ｘ］が１／７．５となり、平均照度も６４１ルックスと基準の構成１４より高く、標準偏差（光の均一性）が１１５ルックスで、基準の構成１４と同程度になる。
【００４５】
図９は、看板１の構成２４〜構成２６における照度の測定結果である。
図９の看板１では、ＬＥＤモジュールを片側のみに設置してスロープ反射板８３，８４がある構成２４を基準にして、構成２５〜２６の判定を行っている。
構成２５は、基準の構成２４の両側設置と平均照度と標準偏差とが殆ど変わらないので良好（○）。
構成２６は、基準の構成２４より平均照度が低下し、標準偏差が上がるので不可（×）。
【００４６】
ここで、反射板と照度との関係を考察する。
図１０は、ＬＥＤモジュール７０を片側の側面部５２のみに設置した場合の原理説明図である。
（ａ）に示すように、Ｓ／Ｘが約１／１０の場合、出射面部５６へ光を反射できる。これにより、出射面部５６が明るくなり照度が向上する。特に、出射面部５６の端部（側面部５２と反対の側面部５４側の端部）に光が反射される。そして、出射面部５６の端部は、スロープ反射板８３が無い場合は、暗い箇所であり、この部分が明るくなることで、照度の均一性が増す。すなわち、照度の均一性の向上効果が高い。
（ｂ）に示すように、Ｓ／Ｘが例えば約１／２と、約１／１０よりも非常に大きい場合、ＬＥＤモジュール７０と反対側の側面部５４に光が反射される。そして、照度は向上するものの、出射面部５６の端部が出射面部５６の他の部分より特別に明るくなるわけでは無いので、照度の均一性の向上効果は低い。
（ｃ）に示すように、例えば反射板が縦反射板８２のように直立し、Ｓ／Ｘが約１／１０よりも非常に小さい場合、ＬＥＤモジュール７０側の側面部５２に光が反射される。そして、出射面部５６に光が反射されないため、照度の向上効果は低い。
【００４７】
＜＜＜好適な仕様について＞＞＞
以上の結果に基づき、Ｘ＝１．８ｍ〜３．０ｍの場合の好適な仕様を考察する。以下、スロープ反射板８３について述べるが、左右対称なので、スロープ反射板８４も同じである。
【００４８】
図２０は、看板１の構成６〜１３における角度Ａと照度の関係を示すグラフである。横軸が角度Ａであり、実線が縦軸の平均照度に対応し、破線が縦軸の標準偏差に対応する。
図２１は、看板１の構成６〜１３におけるスロープ長／全長［Ｓ／Ｘ］と照度の関係を示すグラフである。横軸がスロープ長／全長［Ｓ／Ｘ］であり、実線と破線とは図２０と同様である。
図２２は、看板２の構成１５〜２２における角度Ａと照度の関係を示すグラフである。図２３は、看板２の構成１５〜２２におけるスロープ長／全長［Ｓ／Ｘ］と照度の関係を示すグラフである。
図２４は、看板１と看板２との好適仕様を示す図である。
【００４９】
（角度３度以上３０度以下の範囲について）
まず、図２０を見ると、看板１では、角度Ａが３度以上であれば、平均照度が看板１の基準である構成１の平均照度（９４８ルックス：図２０に実線で図示）以上であり、標準偏差も看板１の基準である構成１の標準偏差（１３７ルックス：図２０に破線で図示）より改善されている。
【００５０】
そして、図２１を見ると、スロープ長／全長［Ｓ／Ｘ］が１／２以下の範囲で平均照度が看板１の基準である構成１の平均照度（９４８ルックス：図２１に実線で図示）以上であり、標準偏差も看板１の基準である構成１の標準偏差（１３７ルックス：図２１に破線で図示）より改善されている。
なお、図２１において、横軸が「１／２」、「１／４．５」、「１／９」と右方向に進むにつれ、値は、「０．５」、「０．２２」、「０．１１」と小さくなっている。つまり、スロープ長／全長［Ｓ／Ｘ］が１／２以下の範囲とは、図２１において、横軸が１／２を示す箇所から右方向の部分である。後述の図２１及び図２３におけるスロープ長／全長［Ｓ／Ｘ］の大きさに関係する説明も同様である。
【００５１】
ここで、看板１において角度３度となるのは、図７に示めされる通り、高さ０．０５ｍのスロープ反射板８３のスロープ長が０．９ｍの場合である。この角度３度は、「ｔａｎ−１（０．０５／０．９）＝約３度」によって導出される。そして、この場合、スロープ長／全長［Ｓ／Ｘ］＝０．９ｍ／１．８ｍ＝１／２である。すなわち、角度３度はスロープ長／全長［Ｓ／Ｘ］＝１／２に対応する。
【００５２】
また、図２０を見ると、看板１では、角度３０度以下では、角度が３０度よりも大きい範囲と比べて標準偏差が急激に改善され、角度１４度で標準偏差が最良値となっている。よって、看板１では、角度３０度以下が好適である。
そして、図２１を見ると、Ｓ／Ｘ＝１／２１以下で標準偏差が急激に改善されている。
ここで、看板１において角度３０度となるのは、高さ０．０５ｍのスロープ反射板８３のスロープ長が０．０８６ｍの場合である（ｔａｎ−１（０．０５／０．０８６）＝約３０度）。すなわち、看板１において、角度３０度は、スロープ長／全長［Ｓ／Ｘ］＝０．０８６ｍ／１．８ｍ＝１／２１に対応する。
【００５３】
よって、図２４に示す通り、看板１において、角度３度以上３０度以下、及び１／２１≦Ｓ／Ｘ≦１／２が好適である。
【００５４】
一方、図２２の看板２においても、看板１の基準である構成１の標準偏差「１３７ルックス（図２２に破線で図示）」と同程度の標準偏差まで許容されると考えれば、角度Ａ＝２度は不可（×）であり、角度Ａの下限は約３度となる。
よって、看板２の測定結果からも角度３度を下限値とすることが導出される。
そして、図２３を見ると、Ｓ／Ｘ＝１／３以下で標準偏差が「１３７ルックス（図２３に破線で図示）」以下となっている。
そして、看板２において角度３度は、スロープ長／全長［Ｓ／Ｘ］＝約０．９５ｍ／３．０ｍ＝約１／３に対応する。なお、角度Ａとスロープ長／全長［Ｓ／Ｘ］との対応の導出は、前述と同様であるため、説明を省略する（以下の説明においても同様である）。
【００５５】
そして、図２２の看板２において、平均照度を示す実線の傾きは、角度が増すごとに緩やかになっている。そして、「３０度より大きい」範囲では実線の傾きがほぼゼロであるが、「１４度〜３０度」の区間では実線の傾きが有り、平均照度の値が「３０度より大きい」範囲よりも大きくなっている。
すなわち、看板２においても、角度３０度以下が好適である。
そして、図２３を見ると、スロープ長／全長［Ｓ／Ｘ］が１／３５より小さい範囲よりも、１／３５以上の範囲の方が平均照度の値は、大きくなっている。
なお、看板２において角度３０度は、スロープ長／全長［Ｓ／Ｘ］＝１／３５に対応する。
【００５６】
よって、図２４に示す通り、看板２において、角度３度以上３０度以下、及び１／３５≦Ｓ／Ｘ≦１／３が好適である。
【００５７】
したがって、前述の通り看板１と看板２とにおいて、角度Ａは３度以上３０度以下が好適な仕様である。
また、スロープ長／全長は、看板１と看板２とが共通する範囲である１／２１≦Ｓ／Ｘ≦１／３が好適な仕様である。
【００５８】
（角度７度以上１４度以下の範囲について）
また、図１５の構成１３（看板１）の照度の等高線図を見ると、１２００ルックスの箇所が２つに分離して存在し、照度にムラが有ることが分かる。一方、図１４の構成１２（看板１）の照度の等高線図を見ると、構成１３よりもピークの照度は低いが、１１００ルックスの箇所が広い面積で一様であり、照度にムラが無いことが分かる。ここで、構成１２の角度Ａは、７度であり、看板１においてスロープ長／全長［Ｓ／Ｘ］＝１／４．５に対応する。
【００５９】
更に、図２０を見ると、看板１では角度１４〜３０度の範囲よりも角度７〜１４度の範囲の方が平均照度は高い。
そして、図２１を見ると、看板１では、スロープ長／全長［Ｓ／Ｘ］が１／２１〜１／９の範囲よりも１／９〜１／４．５の範囲の方が、平均照度は高い。
ここで、角度１４度は、看板１においてスロープ長／全長［Ｓ／Ｘ］＝１／９に対応する。
【００６０】
よって、図２４に示す通り、看板１において、角度７度以上１４度以下、及び１／９≦Ｓ／Ｘ≦１／４．５が好適である。
【００６１】
一方、図２２を見ると、看板２においても、角度７度よりも小さい角度では、急激に標準偏差が悪化している。よって、看板２の測定結果からも角度７度が照度の状態変化の境界であることが分かる。
そして、看板２において角度７度は、スロープ長／全長［Ｓ／Ｘ］＝１／７．５に対応する。
【００６２】
そして、図２２を見ると、看板２において、平均照度を示す実線の傾きは、角度が増すごとに緩やかになっている。そして、「１４〜３０度」の区間よりも「７〜１４度」の区間の方が平均照度を示す実線の傾きが急峻で、平均照度の値が大きくなっている。すなわち、角度Ａ＝１４度以下がより好適な範囲である。看板２において角度１４度は、スロープ長／全長［Ｓ／Ｘ］＝１／１５に対応する。
【００６３】
図２３を見ると、看板２では、スロープ長／全長［Ｓ／Ｘ］が１／３５〜１／１５の範囲よりも１／１５〜１／７．５の範囲の方が、平均照度は高い。そして、１／７．５以上では、急激に標準偏差が悪化している。
【００６４】
よって、図２４に示す通り、看板２において、角度７度以上１４度以下、及び１／１５≦Ｓ／Ｘ≦１／７．５が好適である。
【００６５】
したがって、前述の通り看板１と看板２とにおいて、角度Ａは７度以上１４度以下がより好適な仕様である。
また、スロープ長／全長は、看板１と看板２とが共通する範囲である１／９≦Ｓ／Ｘ≦１／７．５がより好適な仕様である。
【００６６】
（角度１０度以上１１度以下の範囲について）
さらに、より好適な条件を求めるならば、看板１と看板２とにおいて、角度Ａは角度７度と角度１４度との中間あたりの１０度以上１１度以下が望ましい。
【００６７】
ここで、看板１において、角度１０度はスロープ長／全長［Ｓ／Ｘ］＝１／６に対応し、角度１１度はスロープ長／全長［Ｓ／Ｘ］＝１／７に対応する。
一方、看板２において、角度１０度はスロープ長／全長［Ｓ／Ｘ］＝１／１１に対応し、角度１１度はスロープ長／全長［Ｓ／Ｘ］＝１／１２に対応する。
【００６８】
すなわち、スロープ長／全長は、看板１において、１／７≦Ｓ／Ｘ≦１／６がより望ましい仕様であり、看板２において、１／１２≦Ｓ／Ｘ≦１／１１がより望ましい仕様である。
【００６９】
（１／９≦Ｓ／Ｘ≦１／７．５に対応する好適な角度について）
さらに、前述の看板１と看板２とが共通するスロープ長／全長である１／９≦Ｓ／Ｘ≦１／７．５に基づき、角度のより好適な条件を導出する。
看板１において、Ｓ／Ｘ＝１／７．５は、角度１２度に対応し、Ｓ／Ｘ＝１／９は、角度１４度に対応する。
そして、看板２において、Ｓ／Ｘ＝１／７．５は、角度７度に対応し、Ｓ／Ｘ＝１／９は、角度８．５度に対応する。
【００７０】
すなわち、角度Ａは、看板１において、１２度以上１４度以下がより望ましい仕様であり、看板２において、７度以上８．５度以下がより望ましい仕様である。
【００７１】
以上のような、Ｘ＝１．８ｍ〜３．０ｍの場合の好適な仕様は、全長Ｘにプラスマイナス１０％程度の差があっても当てはまるものと考えられる。
【００７２】
＜＜＜角度Ａとスロープ長／全長との関係＞＞＞
ここで、前述の好適条件として示された角度Ａの下限値である３度と、上限値である３０度とのスロープ反射板８３が実現可能なスロープ長／全長の範囲を検証する。
ここでも、スロープ反射板８３について述べるが、左右対称なので、スロープ反射板８４も同じである。
【００７３】
前述で説明の通り、全長Ｘが３．０ｍである「看板２」の端に高さが０．０５ｍでスロープ長が０．０８６ｍのスロープ反射板８３が設置された場合、角度Ａは「ｔａｎ−１（０．０５／０．０８６）＝３０度」となり、「スロープ長／全長［Ｓ／Ｘ］＝０．０８６／３．０＝１／３５」となる。
そして、前述と同様の高さが０．０５ｍでスロープ長が０．０８６ｍである角度３０度のスロープ反射板８３が、例えば、全長Ｘが０．１７２ｍの看板の端に設置された場合、スロープ長／全長［Ｓ／Ｘ］は１／２となる。
【００７４】
つまり、全長Ｘの変化によって、角度Ａに対してスロープ長／全長の対応は変化する。その為、角度３０度のスロープ反射板８３は、スロープ長／全長＝１／３５〜１／２までの構造を実現可能である。
【００７５】
また、例えば、高さが０．０７９ｍでスロープ長が１．５ｍであるスロープ反射板８３の角度は、３度である。そして、この角度３度のスロープ反射板８３が、全長Ｘが３．０ｍである「看板２」の端に設置された場合、「スロープ長／全長［Ｓ／Ｘ］＝１．５／３．０＝１／２となる。
一方、例えば、高さが０．００５ｍでスロープ長が０．０８６ｍであるスロープ反射板８３の角度も、３度である。そして、この角度３度のスロープ反射板８３が、同様に全長Ｘが３．０ｍである「看板２」の端に設置された場合、「スロープ長／全長［Ｓ／Ｘ］＝０．０８６／３．０＝１／３５」となる。
【００７６】
つまり、スロープ反射板８３の高さとスロープ長との変化によって、角度Ａに対してスロープ長／全長の対応も変化する。その為、角度３度のスロープ反射板８３も、スロープ長／全長＝１／３５〜１／２までの構造を実現可能である。
【００７７】
したがって、全長Ｘを変化させれば（又はスロープ長Ｓを変化させれば）、３度以上３０度以下のいずれの角度のスロープ反射板８３は、スロープ長／全長＝１／３５〜１／２までのいずれの構造でも実現可能である。
例えば、３度以上３０度以下のいずれの角度のスロープ反射板８３は、スロープ長／全長が「１／２１〜１／３」、「１／９〜７．５」、「１／７〜１／６」、「１／１２〜１／１１」のいずれの構造でも実現可能である。
また、例えば「７度以上１４度以下」と「１０度以上１１度以下」との範囲は、３度以上３０度以下の範囲に含まれる。
その為、「７度以上１４度以下」のいずれの角度のスロープ反射板８３は、スロープ長／全長が「１／２１〜１／３」、「１／９〜７．５」、「１／７〜１／６」、「１／１２〜１／１１」のいずれの構造でも実現可能である。
また、「１０度以上１１度以下」のいずれの角度のスロープ反射板８３は、スロープ長／全長が「１／２１〜１／３」、「１／９〜７．５」、「１／７〜１／６」、「１／１２〜１／１１」のいずれの構造でも実現可能である。
【００７８】
＜＜＜まとめ＞＞＞
楕円配光の光源（例ＬＥＤモジュール  ＢＸ０３ＳＡ−Ｗ４Ｆ−７６５）を看板側面に設置する場合、底面部に加えて、水平方向となす角度約７〜１４度の反射板を端に斜めに設置することで看板の平均照度が上昇する。
光の均一性（標準偏差）は、反射板を端に斜めに設置しても損なわれること無く、底面部のみに反射板を設置する場合と同程度以上となる。
ただし、看板の全長Ｘが長くなるほど、平均照度の上昇効果は薄くなる。
【００７９】
＜＜＜その他の実施の形態＞＞＞
以下、上記実施の形態と異なる点について説明する。
【００８０】
図２５の他の構成１に示すように、スロープ反射板８３及びスロープ反射板８４は外側に向かって湾曲していても良い。
図２５の他の構成２に示すように、スロープ反射板８３とスロープ反射板８４とは、左右対称の構成でなくてもよい。
【００８１】
ＬＥＤモジュール７０として、ＢＸ０３ＳＡ−Ｗ４Ｆ−７６５以外のものを用いてもよい。
【００８２】
上記各実施の形態の各例あるいは各値を、組み合わせてもかまわない。
【符号の説明】
【００８３】
５０  光源ユニット、５１  底面部、５２  側面部、５３  側面部、５４  側面部、５５  側面部、５６  出射面部、６０  筺体、７０  ＬＥＤモジュール、７１  ＬＥＤ、８１  底反射板、８２  縦反射板、８３  スロープ反射板、８４  スロープ反射板、Ａ  角度、Ｘ  全長、Ｓ  スロープ長。
【図１】
2014007000.tif 000003
【図２】
2014007000.tif 000004
【図３】
2014007000.tif 000005
【図４】
2014007000.tif 000006
【図５】
2014007000.tif 000007
【図６】
2014007000.tif 000008
【図７】
2014007000.tif 000009
【図８】
2014007000.tif 000010
【図９】
2014007000.tif 000011
【図１０】
2014007000.tif 000012
【図１１】
2014007000.tif 000013
【図１２】
2014007000.tif 000014
【図１３】
2014007000.tif 000015
【図１４】
2014007000.tif 000016
【図１５】
2014007000.tif 000017
【図１６】
2014007000.tif 000018
【図１７】
2014007000.tif 000019
【図１８】
2014007000.tif 000020
【図１９】
2014007000.tif 000021
【図２０】
2014007000.tif 000022
【図２１】
2014007000.tif 000023
【図２２】
2014007000.tif 000024
【図２３】
2014007000.tif 000025
【図２４】
2014007000.tif 000026
【図２５】
2014007000.tif 000027